(57)【要約】  少数の階層により、少ない計算量で聴感的に高品質な復号信号を得る復号化装置。この復号化装置では、第１レイヤ復号化部（１５２）は、第１レイヤ符号化データに対して復号化を行う。第２レイヤ復号化部（１５３）は、第２レイヤ符号化データに対して復号化を行う。加算部（１５４）は、第１レイヤ復号化部（１５２）から出力された合成信号と第２レイヤ復号化部（１５３）から出力された合成信号とを加算する。帯域拡張部（１５５）は、第１レイヤ復号化部（１５２）から出力された合成信号に対して帯域拡張符号化データを用いて高域周波数成分の帯域拡張を行う。フィルタ（１５６）は、帯域拡張部（１５５）で得られた合成信号に対してフィルタリングを行い、高域周波数成分を抽出する。加算部（１５７）は、加算部（１５４）から出力された合成信号にフィルタ（１５６）から出力された高域周波数成分を加算して最終的な復号信号を得る。
2008066071.tif 000002
【特許請求の範囲】
【請求項１】
周波数的に２つの階層を有する信号が各階層において符号化された２つの符号化データを用いて復号信号を生成する復号化装置であって、
下位層の符号化データを復号化して第１合成信号を生成する第１復号化手段と、
上位層の符号化データを復号化して第２合成信号を生成する第２復号化手段と、
前記第１合成信号と前記第２合成信号とを加算して第３合成信号を生成する加算手段と、
前記第１合成信号の帯域を拡張して第４合成信号を生成する帯域拡張手段と、
前記第４合成信号をフィルタリングして予め定められた周波数成分を抽出するフィルタリング手段と、
前記フィルタリング手段が抽出した周波数成分を用いて前記第３合成信号の前記予め定められた周波数成分を加工する加工処理手段と、を具備する復号化装置。
【請求項２】
前記加工処理手段は、前記フィルタリング手段が抽出した周波数成分を前記第３合成信号に加算する請求項１記載の復号化装置。
【請求項３】
前記加工処理手段は、前記第３合成信号の前記予め定められた周波数成分を、前記フィルタリング手段が抽出した周波数成分に入れ替える請求項１記載の復号化装置。
【請求項４】
周波数的に２つの階層を有する信号が各階層において符号化された２つの符号化データを用いて復号信号を生成する復号化方法であって、
下位層の符号化データを復号化して第１合成信号を生成する第１復号化工程と、
上位層の符号化データを復号化して第２合成信号を生成する第２復号化工程と、
前記第１合成信号と前記第２合成信号とを加算して第３合成信号を生成する加算工程と、
前記第１合成信号の帯域を拡張して第４合成信号を生成する帯域拡張工程と、
前記第４合成信号をフィルタリングして予め定められた周波数成分を抽出するフィルタリング工程と、
前記フィルタリングにより抽出された周波数成分を用いて前記第３合成信号の前記予め定められた周波数成分を加工する加工処理工程と、を具備する復号化方法。2
【発明の詳細な説明】
【技術分野】
【０００１】
本発明は、スケーラブル符号化技術を用いて符号化された信号を復号化する復号化装置および復号化方法に関する。
【背景技術】
【０００２】
移動体通信においては、電波などの伝送路容量や記憶媒体の有効利用を図るため、音声や画像のディジタル情報に対して圧縮符号化を行うことが必須であり、これまでに多くの符号化／復号化方式が開発されてきた。【０００３】
その中で、音声符号化技術は、音声の発声機構をモデル化してベクトル量子化を巧みに応用した基本方式「ＣＥＬＰ」（Code Excited Linear Prediction）によって性能が大きく向上した。また、オーディオ符号化等の楽音符号化技術は、変換符号化技術（ＭＰＥＧ標準ＡＣＣやＭＰ３等）により性能が大きく向上した。【０００４】
さらに近年では、ａｌｌＩＰ化、シームレス化、ブロードバンド化を睨み、音声からオーディオまでをカバーするようなスケーラブルコーデックの開発や標準化（ＩＴＵ−Ｔ  ＳＧ１６  ＷＰ３）も進んでいる。これらのほとんどは、カバーする周波数帯域が階層的になっており、下位層の量子化誤差を上位層で符号化するコーデックである。【０００５】
特許文献１には、下位層の量子化誤差を上位層で符号化する階層型符号化の基本的発明や、サンプリング周波数の変換を用いて下位から上位に向かってより広い周波数帯域の符号化を行っていく方法について開示されている。【０００６】
ただし、サンプリング周波数が大きく増加する階層では、符号化しなければならない周波数帯域が急に増加するために、帯域感は向上するがノイズ感が増し音質が劣化するという問題がある。【０００７】
この問題を解決すべく、ＭＰＥＧ４標準のＳＢＲ（Spectrum Band Replication）等、帯域拡張技術をスケーラブルコーデックに併用する技術が知られている。帯域拡張技術とは、下位層で復号化した低域周波数成分を比較的少ないビット数の情報に基づいてコピーして高周波数帯域に貼り付けるものである。この帯域拡張技術により、符号化歪は大きくとも、帯域拡張技術によって少ないビット数で帯域感を出すことはできるので、ビット数に見合った聴感的な品質を維持することができる。
【特許文献１】特開平８−２６３０９６号公報
【発明の開示】
【発明が解決しようとする課題】
【０００８】
ここで、この帯域拡張技術を用いると、音声復号化装置において、音声信号を周波数軸に直交変換した後、低域周波数成分の複素スペクトルを高周波数帯域にコピーし、更に直交逆変換で時間軸の音声信号へ戻すという複雑な処理が必要であり、多くの計算量が必要となる。さらに、音声符号化装置から音声復号化装置に帯域拡張用の情報（符号）を送信することが必要となる。【０００９】
単純に、帯域拡張技術をスケーラブルコーデックに併用する場合、音声復号化装置において、階層毎に上記の複雑な処理が必要となり、計算量が膨大なものとなってしまう。また、音声符号化装置において、階層毎に帯域拡張用の情報を送信することが必要となってしまう。【００１０】
本発明の目的は、少ない計算量、少ないビット数で聴感的に高品質な復号信号を得ることができる復号化装置および復号化方法を提供することである。
【課題を解決するための手段】
【００１１】
本発明の復号化装置は、周波数的に２つの階層を有する信号が各階層において符号化された２つの符号化データを用いて復号信号を生成する復号化装置であって、下位層の符号化データを復号化して第１合成信号を生成する第１復号化手段と、上位層の符号化データを復号化して第２合成信号を生成する第２復号化手段と、前記第１合成信号と前記第２合成信号とを加算して第３合成信号を生成する加算手段と、前記第１合成信号の帯域を拡張して第４合成信号を生成する帯域拡張手段と、前記第４合成信号をフィルタリングして予め定められた周波数成分を抽出するフィルタリング手段と、前記フィルタリング手段が抽出した周波数成分を用いて前記第３合成信号の前記予め定められた周波数成分を加工する加工処理手段と、を具備する構成を採る。【００１２】
本発明の復号化方法は、周波数的に２つの階層を有する信号が各階層において符号化された２つの符号化データを用いて復号信号を生成する復号化方法であって、下位層の符号化データを復号化して第１合成信号を生成する第１復号化工程と、上位層の符号化データを復号化して第２合成信号を生成する第２復号化工程と、前記第１合成信号と前記第２合成信号とを加算して第３合成信号を生成する加算工程と、前記第１合成信号の帯域を拡張して第４合成信号を生成する帯域拡張工程と、前記第４合成信号をフィルタリングして予め定められた周波数成分を抽出するフィルタリング工程と、前記フィルタリングにより抽出された周波数成分を用いて前記第３合成信号の前記予め定められた周波数成分を加工する加工処理工程と、を具備する方法を採る。
【発明の効果】
【００１３】
本発明によれば、少ない計算量、少ないビット数で聴感的に高品質な復号信号を得ることができる。更に、本発明によれば、符号化装置において、上位層の符号器では、帯域拡張用の情報を送信することが不要となる。
【図面の簡単な説明】
【００１４】
【図１】本発明の一実施の形態に係る音声復号化装置に符号化データを送信する音声符号化装置の構成を示すブロック図
【図２】本発明の一実施の形態に係る音声復号化装置の構成を示すブロック図
【図３】本発明の一実施の形態に係る音声復号化装置の処理の様子を具体的に説明する図
【発明を実施するための最良の形態】
【００１５】
以下、本発明の一実施の形態について、図面を用いて説明する。本実施の形態では、符号化装置・復号化装置の例として、音声符号化装置・音声復号化装置について説明する。なお、以下の説明において、符号化および復号化は、ＣＥＬＰ方式を用いて階層的に行われるものとする。また、以下の説明では、下位層である第１レイヤと上位層である第２レイヤからなる二層のスケーラブル符号化技術を例に採る。【００１６】
図１は、本実施の形態に係る音声復号化装置に符号化データを送信する音声符号化装置の構成を示すブロック図である。図１において、音声符号化装置１００は、第１レイヤ符号化部１０１と、第１レイヤ復号化部１０２と、加算部１０３と、第２レイヤ符号化部１０４と、帯域拡張符号化部１０５と、多重化部１０６と、を備える。【００１７】
音声符号化装置１００において、音声信号は、第１レイヤ符号化部１０１と加算部１０３に入力される。第１レイヤ符号化部１０１は、符号化歪に伴う雑音感を抑えるために低周波数帯域のみの音声情報を符号化し、得られた符号化データ（以下、「第１レイヤ符号化データ」という）を第１レイヤ復号化部１０２と多重化部１０６に出力する。なお、ＣＥＬＰの様な時間軸の符号化を用いる場合、第１レイヤ符号化部１０１は、符号化の前にダウンサンプリングを行い、サンプルを間引いてから符号化を行う。また、周波数軸で符号化する場合、第１レイヤ符号化部１０１は、入力音声信号を周波数領域に変換した後、低周波数成分のみを符号化する。この低周波数帯域のみを符号化することにより、低ビットレートで符号化しても雑音感を低減することができる。【００１８】
第１レイヤ復号化部１０２は、第１レイヤ符号化データに対して、第１レイヤ符号化部１０１の符号化に対応する復号化を行い、得られた合成信号を加算部１０３と帯域拡張符号化部１０５に出力する。なお、第１レイヤ符号化部１０１でダウンサンプリングを用いている場合には、加算部１０３に入力される合成信号には事前にアップサンプリングを行って入力音声信号とサンプリングレートを合わせておく。【００１９】
加算部１０３は、入力音声信号から、第１レイヤ復号化部１０２から出力された合成信号を減じ、得られた誤差成分を第２レイヤ符号化部１０４に出力する。【００２０】
第２レイヤ符号化部１０４は、加算部１０３から出力された誤差成分を符号化し、得られた符号化データ（以下、「第２レイヤ符号化データ」という）を多重化部１０６に出力する。【００２１】
帯域拡張符号化部１０５は、第１レイヤ復号化部１０２から出力された合成信号を用いて、帯域拡張技術により聴感的な帯域感を補充するための符号化を行い、得られた符号化データ（以下、「帯域拡張符号化データ」という）を多重化部１０６に出力する。なお、第１レイヤ符号化部１０１でダウンサンプリングを用いている場合には、アップサンプリングを行ってから高域周波数成分として適当な拡張をすることができるような符号化を行う。【００２２】
多重化部１０６は、第１レイヤ符号化データ、第２レイヤ符号化データおよび帯域拡張符号化データを多重化し、符号化データとして出力する。多重化部１０６から出力された符号化データは、電波、伝送線、記録媒体等の伝送路を通して音声復号化装置へ伝送される。【００２３】
図２は、本実施の形態に係る音声復号化装置の構成を示すブロック図である。図２において、音声復号化装置１５０は、音声符号化装置１００から伝送された符号化データを入力し、分離部１５１と、第１レイヤ復号化部１５２と、第２レイヤ復号化部１５３と、加算部１５４と、帯域拡張部１５５と、フィルタ１５６と、加算部１５７と、を備える。【００２４】
分離部１５１は、入力した符号化データを第１レイヤ符号化データ、第２レイヤ符号化データおよび帯域拡張符号化データに分離し、第１レイヤ符号化データを第１レイヤ復号化部１５２に出力し、第２レイヤ符号化データを第２レイヤ復号化部１５３に出力し、帯域拡張符号化データを帯域拡張部１５５に出力する。【００２５】
第１レイヤ復号化部１５２は、第１レイヤ符号化データに対して、第１レイヤ符号化部１０１の符号化に対応する復号化を行い、得られた合成信号を加算部１５４と帯域拡張部１５５に出力する。なお、第１レイヤ符号化部１０１でダウンサンプリングを用いている場合には、加算部１５４に入力される合成信号には事前にアップサンプリングを行って、符号化装置１００における入力音声信号とサンプリングレートを合わせておく。【００２６】
第２レイヤ復号化部１５３は、第２レイヤ符号化データに対して、第２レイヤ符号化部１０４の符号化に対応する復号化を行い、得られた合成信号を加算部１５４に出力する。【００２７】
加算部１５４は、第１レイヤ復号化部１５２から出力された合成信号と第２レイヤ復号化部１５３から出力された合成信号とを加算し、得られた合成信号を加算部１５７に出力する。【００２８】
帯域拡張部１５５は、第１レイヤ復号化部１５２から出力された合成信号に対して帯域拡張符号化データを用いて高域周波数成分の帯域拡張を行い、得られた復号音声信号Ａをフィルタ１５６に出力する。帯域拡張部１５５が拡張する帯域部分には、聴感的な高域感に関わる信号が含まれている。この帯域拡張部１５５で得られた復号音声信号Ａは、下位層で得られる復号音声信号であり、低ビットレートで音声を伝送する場合に使用できるものである。【００２９】
フィルタ１５６は、帯域拡張部１５５で得られた復号音声信号Ａに対してフィルタリングを行い、高域周波数成分を抽出し、これを加算部１５７に出力する。このフィルタ１５６は、所定のカットオフ周波数よりも周波数が高い成分のみを通過させる高域通過フィルタである。なお、フィルタ１５６の構成としてはＦＩＲ（Finite Impulse Response）型でもＩＩＲ（Infinite Impulse Response）型でもよい。また、本実施の形態では、フィルタ１５６で得られた高域周波数成分を加算部１５４から出力された合成信号に加算するだけなので、位相やリップルに特別の制限を設ける必要がない。このため、フィルタ１５６は、普通に設計された低遅延の高域通過フィルタでよい。【００３０】
フィルタ１５６のカットオフ周波数については、加算部１５４から出力された合成信号の周波数成分として弱くなる部分に予め設定しておく。例えば、符号化側において、入力音声信号が１６ｋＨｚサンプリング（周波数帯域の上限は８ｋＨｚ）で、第１レイヤ符号化部１０１が、入力音声信号の周波数を半分の８ｋＨｚサンプリング（周波数帯域の上限は４ｋＨｚ）にダウンサンプリングして符号化する場合において、復号化側では、加算部１５４で得られる合成信号の周波数成分が５ｋＨｚあたりから弱くなり高域感が十分出ない場合には、フィルタ１５６のカットオフ周波数を約６ｋＨｚとし、サイドローブはなだらかに低域に落ちる特性を持つように設計し、加算部１５７の加算によって、符号化側の入力音声信号の周波数成分に近くなるようにする。【００３１】
加算部１５７は、加算部１５４から出力された合成信号にフィルタ１５６で得られた高域周波数成分を加算し、復号音声信号Ｂを得る。この復号音声信号Ｂは、高域周波数成分が補充されることにより、高域感が得られ、聴感的に高品質な音となる。【００３２】
次に、図３を用いて、本実施の形態に係る音声復号化装置の処理の様子を具体的に説明する。図３において、横軸は周波数、縦軸はスペクトル成分を示す。また、図３では、符号化側の入力音声信号が１６ｋＨｚサンプリング（周波数帯域の上限は８ｋＨｚ）で、第１レイヤ符号化部１０１が、入力音声信号の周波数を半分の８ｋＨｚサンプリング（周波数帯域の上限は４ｋＨｚ）にダウンサンプリングして符号化する場合を示す。【００３３】
図３Ａは、符号化側におけるダウンサンプリング後の入力音声信号のスペクトルを示す図である。また、図３Ｂは、符号化側における第１レイヤ復号化部１０２から出力された合成信号のスペクトルを示す図である。本例では８ｋＨｚサンプリングにダウンサンプリングしているので、図３Ａに示すように、入力音声信号には８ｋＨｚまで周波数成分があるが、図３Ｂに示すように、第１レイヤ復号化部１０２から出力された合成信号には半分の４ｋＨｚまでしか周波数成分がない。【００３４】
図３Ｃは、復号化側において、帯域拡張部１５５から出力された復号音声信号Ａのスペクトルを示す図である。図３Ｃに示すように、帯域拡張部１５５では、第１レイヤ復号化部１５２から出力された合成信号の低域周波数成分がコピーされて高周波数帯域に貼り付けられる。この帯域拡張部１５５で作成された高域周波数成分のスペクトルは、図３Ａに示した入力音声信号の高域周波数成分のものとは大きく異なるものである。【００３５】
図３Ｄは、加算部１５４から出力された合成信号のスペクトルを示す図である。図３Ｄに示すように、第２レイヤの符号化、復号化により、加算部１５４から出力された合成信号の低域周波数成分のスペクトルは、図３Ａに示した入力音声信号のものと近似する。しかしながら、第２レイヤにおいて雑音感を出さないように符号化すると、入力される音声信号は一般的に低周波数成分が大きいことから、符号器は低周波成分を忠実に符号化しようとするため、復号器で得られる復号音声信号の周波数成分はどうしても低域に片寄ってしまう。したがって、加算部１５４から出力された合成信号のスペクトルは、高域周波数成分に伸びが無く、５ｋＨｚ付近から弱くなる。これは階層型コーデックにおいてサンプリング周波数が大きく変わる階層で一般的に起こる状況である。【００３６】
図３Ｅは、図３Ｄに示した合成信号の高域周波数成分を補うためのフィルタ１５６の特性を示す図である。本例では、フィルタ１５６のカットオフ周波数を約６ｋＨｚとしている。【００３７】
図３Ｆは、図３Ｃに示した帯域拡張部１５５から出力された復号音声信号Ａに対して、図３Ｅに示したフィルタ１５６によるフィルタリングを行った結果のスペクトルを示す図である。図３Ｆに示すように、フィルタリングによって復号音声信号Ａの高域周波数成分が抽出される。なお、図３Ｆでは説明の都合上スペクトルを示しているが、このフィルタリングは時間軸上で行われる処理であり、得られる信号も時系列信号である。【００３８】
図３Ｇは、加算部１５７から出力された復号音声信号Ｂのスペクトルを示す図であり、図３Ｇのスペクトルは、図３Ｄに示した合成信号のスペクトルに、図３Ｆに示した高域周波数成分を補充したものである。図３Ｇのスペクトルは、図３Ａの入力音声信号のスペクトルと比較して、高周波数帯域に違いはあるが、低域周波数成分において近似する。また、高域周波数成分が補充されているので、高域周波数成分に伸びがあり、高域感が得られ、聴感的に高品質な音となる。なお、図３Ｇでは説明の都合上スペクトルを示しているが、この補充は時間軸上で行われる処理である。【００３９】
ここで、本発明の簡単な高域周波数成分の補充を行っても、上位層で得られた低周波数成分から複雑な処理により帯域拡張を行っても、最終的に得られる復号音声の品質にはほとんど差がないということが実験的に分かっている。これは、帯域拡張のアルゴリズムそのものが低周波数成分からのコピーと大まかなパワー制御で構成されており、帯域拡張によって得られた高域周波数成分と入力音声信号の高域周波数成分とは異なるものであり、得られるのはあくまで「聴感的な」高域感の向上であるということに基づいている。故に、特に、下位層で帯域拡張技術が利用されている場合は、上位層で本発明によって帯域を補充すると帯域拡張技術を実際に用いた場合と同様な品質向上が得られることが分かる。【００４０】
このように、本実施の形態によれば、階層型コーデックの上位層では、帯域拡張符号化も、符号化情報の伝送も、帯域拡張処理も行わずして、簡単な処理で高周波数成分を補充することができ、上位層においても聴感的に高域感のある良好な合成音声を得ることができる。【００４１】
また、本実施の形態のように高域周波数成分を加算する処理を採用することにより、異音感が起こる心配がない。なぜなら、加算部１５４から出力される合成信号に異音がなく、フィルタ１５６から出力される高周波数成分に異音がなければ、これらを加算した音で異音は起こらないからである。【００４２】
なお、本実施の形態では、加算部１５４から出力される合成信号にフィルタ１５６から出力される高域周波数成分を加算する処理を採用しているが、本発明はこれに限られず、例えば、加算部１５４から出力される合成信号の高域周波数成分をフィルタ１５６から出力される高周波数成分に入れ替えてもよい。この場合、加算する形態に対して、高周波数帯域のパワーが必要以上に大きくなるリスクを回避することができる。
以上のように本実施の形態によれば、下位層の高域周波数成分のみを計算量の少ない高域通過フィルタで抽出して上位層の高域周波数成分を補充することにより、上位層の復号器では、周波数軸への変換、周波数成分のコピーおよび時間軸への逆変換の処理を不要とすることができるので、少ない計算量、少ないビット数で聴感的に高品質な復号音声を得ることができる。更に、音声符号化装置において、上位層の符号器では、帯域拡張用の情報を送信することが不要となる。【００４３】
なお、本実施の形態においては、音声復号化装置１５０は、音声符号化装置１００より伝送された符号化データを入力して処理するという例を示したが、同様の情報を有する符号化データを生成可能な他の構成の符号化装置が出力した符号化データを入力して処理しても良い。【００４４】
また、本発明に係る音声復号化装置等は、上記各実施の形態に限定されず、種々変更して実施することが可能である。例えば、階層数が２以上のスケーラブル構成にも適用可能である。現在の標準化済み、標準化の検討途上、実用段階のスケーラブルコーデックの階層数は全てもっと多数である。例えばＩＴＵ−Ｔ標準Ｇ７２９ＥＶでは１２もの階層数がある。本発明は、階層が多いほど、多くの上位層において下位層の情報で簡単に高域感の向上した合成音声を得ることができるため、効果が大きくなる。【００４５】
また、本実施の形態では高域周波数成分の帯域拡張技術を用いる場合について説明したが、本発明は、符号化していない帯域の成分を補充するようにフィルタ１５６を設計すれば、低域周波数成分の帯域拡張技術を用いる場合でも同様の性能を得ることができる。【００４６】
また、下位層と上位層で符号化する帯域が異なるように役割付けられている場合には、本発明により符号化していない帯域の成分を補充することができるため、下位層に帯域拡張を用いない場合にも有効である。【００４７】
また、本実施の形態ではフィルタの特性として通過型のフィルタを用いる場合について説明したが、本発明はこれに限られず、上位層で合成しきれなかった帯域の成分を強く出力し、他の帯域の成分をほとんど出力しない特性を持つフィルタであれば良い。【００４８】
また、本実施の形態では階層型符号化／復号化（スケーラブルコーデック）を例に説明したが、本発明はこれに限られず、例えば、ある補助的なコーデックを用いる場合で、符号化する時にノイズシェイピング（雑音感を特定の帯域に集めて符号化する方法）を使用している場合、その雑音が集まっている帯域を削除するために用いることもできる。【００４９】
また、本実施の形態ではフィルタの特性の変化について言及していないが、本発明は、上位層の復号器の特性に応じて、適応的にフィルタの特性を変化させることにより、より性能を向上させることができる。具体的方法としては、上位層の合成信号（加算部１５４の出力）と下位層の合成信号（帯域拡張部１５５の出力）との周波数毎のパワーを分析して、上位層の合成信号のパワーが下位層の合成信号のパワーに対して弱い周波数を通過するようにフィルタ１５６を設計するという方法が挙げられる。【００５０】
また、本発明に係る符号化装置の入力信号は、音声信号だけでなく、オーディオ信号でも良い。また、入力信号として、ＬＰＣ予測残差信号に対して本発明を適用する構成であっても良い。【００５１】
また、本発明に係る符号化装置および復号化装置は、移動体通信システムにおける通信端末装置および基地局装置に搭載することが可能であり、これにより上記と同様の作用効果を有する通信端末装置、基地局装置、および移動体通信システムを提供することができる。【００５２】
また、ここでは、本発明をハードウェアで構成する場合を例にとって説明したが、本発明をソフトウェアで実現することも可能である。例えば、本発明に係る符号化方法／復号化方法のアルゴリズムをプログラミング言語によって記述し、このプログラムをメモリに記憶しておいて情報処理手段によって実行させることにより、本発明に係る符号化装置／復号化装置と同様の機能を実現することができる。【００５３】
また、上記各実施の形態の説明に用いた各機能ブロックは、典型的には集積回路であるＬＳＩとして実現される。これらは個別に１チップ化されても良いし、一部または全てを含むように１チップ化されても良い。【００５４】
また、ここではＬＳＩとしたが、集積度の違いによって、ＩＣ、システムＬＳＩ、スーパーＬＳＩ、ウルトラＬＳＩ等と呼称されることもある。【００５５】
また、集積回路化の手法はＬＳＩに限るものではなく、専用回路または汎用プロセッサで実現しても良い。ＬＳＩ製造後に、プログラム化することが可能なＦＰＧＡ（Field Programmable Gate Array）や、ＬＳＩ内部の回路セルの接続もしくは設定を再構成可能なリコンフィギュラブル・プロセッサを利用しても良い。【００５６】
さらに、半導体技術の進歩または派生する別技術により、ＬＳＩに置き換わる集積回路化の技術が登場すれば、当然、その技術を用いて機能ブロックの集積化を行っても良い。バイオ技術の適用等が可能性としてあり得る。【００５７】
２００６年１１月２９日出願の特願２００６−３２２３３８の日本出願に含まれる明細書、図面および要約書の開示内容は、すべて本願に援用される。
【産業上の利用可能性】
【００５８】
本発明は、スケーラブル符号化技術を用いた通信システムにおける復号化装置等に用いるに好適である。
【図１】
2008066071.tif 000003
【図２】
2008066071.tif 000004
【図３】
2008066071.tif 000005
【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
周波数的に２つの階層を有する信号が各階層において符号化された２つの符号化データを用いて復号信号を生成する復号化装置であって、
下位層の符号化データを復号化して第１合成信号を生成する第１復号化手段と、
上位層の符号化データを復号化して第２合成信号を生成する第２復号化手段と、
前記第１合成信号と前記第２合成信号とを加算して第３合成信号を生成する加算手段と、
前記第１合成信号の帯域を拡張して第４合成信号を生成する帯域拡張手段と、
前記第４合成信号をフィルタリングして予め定められた周波数成分を抽出するフィルタリング手段と、
前記フィルタリング手段が抽出した周波数成分を用いて前記第３合成信号の前記予め定められた周波数成分を加工する加工処理手段と、を具備する復号化装置。
【請求項２】
前記加工処理手段は、前記フィルタリング手段が抽出した周波数成分を前記第３合成信号に加算する請求項１記載の復号化装置。
【請求項３】
前記加工処理手段は、前記第３合成信号の前記予め定められた周波数成分を、前記フィルタリング手段が抽出した周波数成分に入れ替える請求項１記載の復号化装置。
【請求項４】
周波数的に２つの階層を有する信号が各階層において符号化された２つの符号化データを用いて復号信号を生成する復号化方法であって、
下位層の符号化データを復号化して第１合成信号を生成する第１復号化工程と、
上位層の符号化データを復号化して第２合成信号を生成する第２復号化工程と、
前記第１合成信号と前記第２合成信号とを加算して第３合成信号を生成する加算工程と、
前記第１合成信号の帯域を拡張して第４合成信号を生成する帯域拡張工程と、
前記第４合成信号をフィルタリングして予め定められた周波数成分を抽出するフィルタリング工程と、
前記フィルタリングにより抽出された周波数成分を用いて前記第３合成信号の前記予め定められた周波数成分を加工する加工処理工程と、を具備する復号化方法。
【手続補正２】
【補正対象書類名】明細書
【補正対象項目名】全文
【補正方法】変更
【補正の内容】
【発明の詳細な説明】
【技術分野】
【０００１】
本発明は、スケーラブル符号化技術を用いて符号化された信号を復号化する復号化装置および復号化方法に関する。
【背景技術】
【０００２】
移動体通信においては、電波などの伝送路容量や記憶媒体の有効利用を図るため、音声や画像のディジタル情報に対して圧縮符号化を行うことが必須であり、これまでに多くの符号化／復号化方式が開発されてきた。
【０００３】
その中で、音声符号化技術は、音声の発声機構をモデル化してベクトル量子化を巧みに応用した基本方式「ＣＥＬＰ」（Code Excited Linear Prediction）によって性能が大きく向上した。また、オーディオ符号化等の楽音符号化技術は、変換符号化技術（ＭＰＥＧ標準ＡＣＣやＭＰ３等）により性能が大きく向上した。
【０００４】
さらに近年では、ａｌｌＩＰ化、シームレス化、ブロードバンド化を睨み、音声からオーディオまでをカバーするようなスケーラブルコーデックの開発や標準化（ＩＴＵ−Ｔ  ＳＧ１６  ＷＰ３）も進んでいる。これらのほとんどは、カバーする周波数帯域が階層的になっており、下位層の量子化誤差を上位層で符号化するコーデックである。
【０００５】
特許文献１には、下位層の量子化誤差を上位層で符号化する階層型符号化の基本的発明や、サンプリング周波数の変換を用いて下位から上位に向かってより広い周波数帯域の符号化を行っていく方法について開示されている。
【０００６】
ただし、サンプリング周波数が大きく増加する階層では、符号化しなければならない周波数帯域が急に増加するために、帯域感は向上するがノイズ感が増し音質が劣化するという問題がある。
【０００７】
この問題を解決すべく、ＭＰＥＧ４標準のＳＢＲ（Spectrum Band Replication）等、帯域拡張技術をスケーラブルコーデックに併用する技術が知られている。帯域拡張技術とは、下位層で復号化した低域周波数成分を比較的少ないビット数の情報に基づいてコピーして高周波数帯域に貼り付けるものである。この帯域拡張技術により、符号化歪は大きくとも、帯域拡張技術によって少ないビット数で帯域感を出すことはできるので、ビット数に見合った聴感的な品質を維持することができる。
【特許文献１】特開平８−２６３０９６号公報
【発明の開示】
【発明が解決しようとする課題】
【０００８】
ここで、この帯域拡張技術を用いると、音声復号化装置において、音声信号を周波数軸に直交変換した後、低域周波数成分の複素スペクトルを高周波数帯域にコピーし、更に直交逆変換で時間軸の音声信号へ戻すという複雑な処理が必要であり、多くの計算量が必要となる。さらに、音声符号化装置から音声復号化装置に帯域拡張用の情報（符号）を送信することが必要となる。
【０００９】
単純に、帯域拡張技術をスケーラブルコーデックに併用する場合、音声復号化装置において、階層毎に上記の複雑な処理が必要となり、計算量が膨大なものとなってしまう。また、音声符号化装置において、階層毎に帯域拡張用の情報を送信することが必要となってしまう。
【００１０】
本発明の目的は、少ない計算量、少ないビット数で聴感的に高品質な復号信号を得ることができる復号化装置および復号化方法を提供することである。
【課題を解決するための手段】
【００１１】
本発明の復号化装置は、周波数的に２つの階層を有する信号が各階層において符号化された２つの符号化データを用いて復号信号を生成する復号化装置であって、下位層の符号化データを復号化して第１合成信号を生成する第１復号化手段と、上位層の符号化データを復号化して第２合成信号を生成する第２復号化手段と、前記第１合成信号と前記第２合成信号とを加算して第３合成信号を生成する加算手段と、前記第１合成信号の帯域を拡張して第４合成信号を生成する帯域拡張手段と、前記第４合成信号をフィルタリングして予め定められた周波数成分を抽出するフィルタリング手段と、前記フィルタリング手段が抽出した周波数成分を用いて前記第３合成信号の前記予め定められた周波数成分を加工する加工処理手段と、を具備する構成を採る。
【００１２】
本発明の復号化方法は、周波数的に２つの階層を有する信号が各階層において符号化された２つの符号化データを用いて復号信号を生成する復号化方法であって、下位層の符号化データを復号化して第１合成信号を生成する第１復号化工程と、上位層の符号化データを復号化して第２合成信号を生成する第２復号化工程と、前記第１合成信号と前記第２合成信号とを加算して第３合成信号を生成する加算工程と、前記第１合成信号の帯域を拡張して第４合成信号を生成する帯域拡張工程と、前記第４合成信号をフィルタリングして予め定められた周波数成分を抽出するフィルタリング工程と、前記フィルタリングにより抽出された周波数成分を用いて前記第３合成信号の前記予め定められた周波数成分を加工する加工処理工程と、を具備する方法を採る。
【発明の効果】
【００１３】
本発明によれば、少ない計算量、少ないビット数で聴感的に高品質な復号信号を得ることができる。更に、本発明によれば、符号化装置において、上位層の符号器では、帯域拡張用の情報を送信することが不要となる。
【発明を実施するための最良の形態】
【００１４】
以下、本発明の一実施の形態について、図面を用いて説明する。本実施の形態では、符号化装置・復号化装置の例として、音声符号化装置・音声復号化装置について説明する。なお、以下の説明において、符号化および復号化は、ＣＥＬＰ方式を用いて階層的に行われるものとする。また、以下の説明では、下位層である第１レイヤと上位層である第２レイヤからなる二層のスケーラブル符号化技術を例に採る。
【００１５】
図１は、本実施の形態に係る音声復号化装置に符号化データを送信する音声符号化装置の構成を示すブロック図である。図１において、音声符号化装置１００は、第１レイヤ符号化部１０１と、第１レイヤ復号化部１０２と、加算部１０３と、第２レイヤ符号化部１０４と、帯域拡張符号化部１０５と、多重化部１０６と、を備える。
【００１６】
音声符号化装置１００において、音声信号は、第１レイヤ符号化部１０１と加算部１０３に入力される。第１レイヤ符号化部１０１は、符号化歪に伴う雑音感を抑えるために低
周波数帯域のみの音声情報を符号化し、得られた符号化データ（以下、「第１レイヤ符号化データ」という）を第１レイヤ復号化部１０２と多重化部１０６に出力する。なお、ＣＥＬＰの様な時間軸の符号化を用いる場合、第１レイヤ符号化部１０１は、符号化の前にダウンサンプリングを行い、サンプルを間引いてから符号化を行う。また、周波数軸で符号化する場合、第１レイヤ符号化部１０１は、入力音声信号を周波数領域に変換した後、低周波数成分のみを符号化する。この低周波数帯域のみを符号化することにより、低ビットレートで符号化しても雑音感を低減することができる。
【００１７】
第１レイヤ復号化部１０２は、第１レイヤ符号化データに対して、第１レイヤ符号化部１０１の符号化に対応する復号化を行い、得られた合成信号を加算部１０３と帯域拡張符号化部１０５に出力する。なお、第１レイヤ符号化部１０１でダウンサンプリングを用いている場合には、加算部１０３に入力される合成信号には事前にアップサンプリングを行って入力音声信号とサンプリングレートを合わせておく。
【００１８】
加算部１０３は、入力音声信号から、第１レイヤ復号化部１０２から出力された合成信号を減じ、得られた誤差成分を第２レイヤ符号化部１０４に出力する。
【００１９】
第２レイヤ符号化部１０４は、加算部１０３から出力された誤差成分を符号化し、得られた符号化データ（以下、「第２レイヤ符号化データ」という）を多重化部１０６に出力する。
【００２０】
帯域拡張符号化部１０５は、第１レイヤ復号化部１０２から出力された合成信号を用いて、帯域拡張技術により聴感的な帯域感を補充するための符号化を行い、得られた符号化データ（以下、「帯域拡張符号化データ」という）を多重化部１０６に出力する。なお、第１レイヤ符号化部１０１でダウンサンプリングを用いている場合には、アップサンプリングを行ってから高域周波数成分として適当な拡張をすることができるような符号化を行う。
【００２１】
多重化部１０６は、第１レイヤ符号化データ、第２レイヤ符号化データおよび帯域拡張符号化データを多重化し、符号化データとして出力する。多重化部１０６から出力された符号化データは、電波、伝送線、記録媒体等の伝送路を通して音声復号化装置へ伝送される。
【００２２】
図２は、本実施の形態に係る音声復号化装置の構成を示すブロック図である。図２において、音声復号化装置１５０は、音声符号化装置１００から伝送された符号化データを入力し、分離部１５１と、第１レイヤ復号化部１５２と、第２レイヤ復号化部１５３と、加算部１５４と、帯域拡張部１５５と、フィルタ１５６と、加算部１５７と、を備える。
【００２３】
分離部１５１は、入力した符号化データを第１レイヤ符号化データ、第２レイヤ符号化データおよび帯域拡張符号化データに分離し、第１レイヤ符号化データを第１レイヤ復号化部１５２に出力し、第２レイヤ符号化データを第２レイヤ復号化部１５３に出力し、帯域拡張符号化データを帯域拡張部１５５に出力する。
【００２４】
第１レイヤ復号化部１５２は、第１レイヤ符号化データに対して、第１レイヤ符号化部１０１の符号化に対応する復号化を行い、得られた合成信号を加算部１５４と帯域拡張部１５５に出力する。なお、第１レイヤ符号化部１０１でダウンサンプリングを用いている場合には、加算部１５４に入力される合成信号には事前にアップサンプリングを行って、符号化装置１００における入力音声信号とサンプリングレートを合わせておく。
【００２５】
第２レイヤ復号化部１５３は、第２レイヤ符号化データに対して、第２レイヤ符号化部
１０４の符号化に対応する復号化を行い、得られた合成信号を加算部１５４に出力する。
【００２６】
加算部１５４は、第１レイヤ復号化部１５２から出力された合成信号と第２レイヤ復号化部１５３から出力された合成信号とを加算し、得られた合成信号を加算部１５７に出力する。
【００２７】
帯域拡張部１５５は、第１レイヤ復号化部１５２から出力された合成信号に対して帯域拡張符号化データを用いて高域周波数成分の帯域拡張を行い、得られた復号音声信号Ａをフィルタ１５６に出力する。帯域拡張部１５５が拡張する帯域部分には、聴感的な高域感に関わる信号が含まれている。この帯域拡張部１５５で得られた復号音声信号Ａは、下位層で得られる復号音声信号であり、低ビットレートで音声を伝送する場合に使用できるものである。
【００２８】
フィルタ１５６は、帯域拡張部１５５で得られた復号音声信号Ａに対してフィルタリングを行い、高域周波数成分を抽出し、これを加算部１５７に出力する。このフィルタ１５６は、所定のカットオフ周波数よりも周波数が高い成分のみを通過させる高域通過フィルタである。なお、フィルタ１５６の構成としてはＦＩＲ（Finite Impulse Response）型でもＩＩＲ（Infinite Impulse Response）型でもよい。また、本実施の形態では、フィルタ１５６で得られた高域周波数成分を加算部１５４から出力された合成信号に加算するだけなので、位相やリップルに特別の制限を設ける必要がない。このため、フィルタ１５６は、普通に設計された低遅延の高域通過フィルタでよい。
【００２９】
フィルタ１５６のカットオフ周波数については、加算部１５４から出力された合成信号の周波数成分として弱くなる部分に予め設定しておく。例えば、符号化側において、入力音声信号が１６ｋＨｚサンプリング（周波数帯域の上限は８ｋＨｚ）で、第１レイヤ符号化部１０１が、入力音声信号の周波数を半分の８ｋＨｚサンプリング（周波数帯域の上限は４ｋＨｚ）にダウンサンプリングして符号化する場合において、復号化側では、加算部１５４で得られる合成信号の周波数成分が５ｋＨｚあたりから弱くなり高域感が十分出ない場合には、フィルタ１５６のカットオフ周波数を約６ｋＨｚとし、サイドローブはなだらかに低域に落ちる特性を持つように設計し、加算部１５７の加算によって、符号化側の入力音声信号の周波数成分に近くなるようにする。
【００３０】
加算部１５７は、加算部１５４から出力された合成信号にフィルタ１５６で得られた高域周波数成分を加算し、復号音声信号Ｂを得る。この復号音声信号Ｂは、高域周波数成分が補充されることにより、高域感が得られ、聴感的に高品質な音となる。
【００３１】
次に、図３を用いて、本実施の形態に係る音声復号化装置の処理の様子を具体的に説明する。図３において、横軸は周波数、縦軸はスペクトル成分を示す。また、図３では、符号化側の入力音声信号が１６ｋＨｚサンプリング（周波数帯域の上限は８ｋＨｚ）で、第１レイヤ符号化部１０１が、入力音声信号の周波数を半分の８ｋＨｚサンプリング（周波数帯域の上限は４ｋＨｚ）にダウンサンプリングして符号化する場合を示す。
【００３２】
図３Ａは、符号化側におけるダウンサンプリング後の入力音声信号のスペクトルを示す図である。また、図３Ｂは、符号化側における第１レイヤ復号化部１０２から出力された合成信号のスペクトルを示す図である。本例では８ｋＨｚサンプリングにダウンサンプリングしているので、図３Ａに示すように、入力音声信号には８ｋＨｚまで周波数成分があるが、図３Ｂに示すように、第１レイヤ復号化部１０２から出力された合成信号には半分の４ｋＨｚまでしか周波数成分がない。
【００３３】
図３Ｃは、復号化側において、帯域拡張部１５５から出力された復号音声信号Ａのスペ
クトルを示す図である。図３Ｃに示すように、帯域拡張部１５５では、第１レイヤ復号化部１５２から出力された合成信号の低域周波数成分がコピーされて高周波数帯域に貼り付けられる。この帯域拡張部１５５で作成された高域周波数成分のスペクトルは、図３Ａに示した入力音声信号の高域周波数成分のものとは大きく異なるものである。
【００３４】
図３Ｄは、加算部１５４から出力された合成信号のスペクトルを示す図である。図３Ｄに示すように、第２レイヤの符号化、復号化により、加算部１５４から出力された合成信号の低域周波数成分のスペクトルは、図３Ａに示した入力音声信号のものと近似する。しかしながら、第２レイヤにおいて雑音感を出さないように符号化すると、入力される音声信号は一般的に低周波数成分が大きいことから、符号器は低周波成分を忠実に符号化しようとするため、復号器で得られる復号音声信号の周波数成分はどうしても低域に片寄ってしまう。したがって、加算部１５４から出力された合成信号のスペクトルは、高域周波数成分に伸びが無く、５ｋＨｚ付近から弱くなる。これは階層型コーデックにおいてサンプリング周波数が大きく変わる階層で一般的に起こる状況である。
【００３５】
図３Ｅは、図３Ｄに示した合成信号の高域周波数成分を補うためのフィルタ１５６の特性を示す図である。本例では、フィルタ１５６のカットオフ周波数を約６ｋＨｚとしている。
【００３６】
図３Ｆは、図３Ｃに示した帯域拡張部１５５から出力された復号音声信号Ａに対して、図３Ｅに示したフィルタ１５６によるフィルタリングを行った結果のスペクトルを示す図である。図３Ｆに示すように、フィルタリングによって復号音声信号Ａの高域周波数成分が抽出される。なお、図３Ｆでは説明の都合上スペクトルを示しているが、このフィルタリングは時間軸上で行われる処理であり、得られる信号も時系列信号である。
【００３７】
図３Ｇは、加算部１５７から出力された復号音声信号Ｂのスペクトルを示す図であり、図３Ｇのスペクトルは、図３Ｄに示した合成信号のスペクトルに、図３Ｆに示した高域周波数成分を補充したものである。図３Ｇのスペクトルは、図３Ａの入力音声信号のスペクトルと比較して、高周波数帯域に違いはあるが、低域周波数成分において近似する。また、高域周波数成分が補充されているので、高域周波数成分に伸びがあり、高域感が得られ、聴感的に高品質な音となる。なお、図３Ｇでは説明の都合上スペクトルを示しているが、この補充は時間軸上で行われる処理である。
【００３８】
ここで、本発明の簡単な高域周波数成分の補充を行っても、上位層で得られた低周波数成分から複雑な処理により帯域拡張を行っても、最終的に得られる復号音声の品質にはほとんど差がないということが実験的に分かっている。これは、帯域拡張のアルゴリズムそのものが低周波数成分からのコピーと大まかなパワー制御で構成されており、帯域拡張によって得られた高域周波数成分と入力音声信号の高域周波数成分とは異なるものであり、得られるのはあくまで「聴感的な」高域感の向上であるということに基づいている。故に、特に、下位層で帯域拡張技術が利用されている場合は、上位層で本発明によって帯域を補充すると帯域拡張技術を実際に用いた場合と同様な品質向上が得られることが分かる。
【００３９】
このように、本実施の形態によれば、階層型コーデックの上位層では、帯域拡張符号化も、符号化情報の伝送も、帯域拡張処理も行わずして、簡単な処理で高周波数成分を補充することができ、上位層においても聴感的に高域感のある良好な合成音声を得ることができる。
【００４０】
また、本実施の形態のように高域周波数成分を加算する処理を採用することにより、異音感が起こる心配がない。なぜなら、加算部１５４から出力される合成信号に異音がなく、フィルタ１５６から出力される高周波数成分に異音がなければ、これらを加算した音で
異音は起こらないからである。
【００４１】
なお、本実施の形態では、加算部１５４から出力される合成信号にフィルタ１５６から出力される高域周波数成分を加算する処理を採用しているが、本発明はこれに限られず、例えば、加算部１５４から出力される合成信号の高域周波数成分をフィルタ１５６から出力される高周波数成分に入れ替えてもよい。この場合、加算する形態に対して、高周波数帯域のパワーが必要以上に大きくなるリスクを回避することができる。
以上のように本実施の形態によれば、下位層の高域周波数成分のみを計算量の少ない高域通過フィルタで抽出して上位層の高域周波数成分を補充することにより、上位層の復号器では、周波数軸への変換、周波数成分のコピーおよび時間軸への逆変換の処理を不要とすることができるので、少ない計算量、少ないビット数で聴感的に高品質な復号音声を得ることができる。更に、音声符号化装置において、上位層の符号器では、帯域拡張用の情報を送信することが不要となる。
【００４２】
なお、本実施の形態においては、音声復号化装置１５０は、音声符号化装置１００より伝送された符号化データを入力して処理するという例を示したが、同様の情報を有する符号化データを生成可能な他の構成の符号化装置が出力した符号化データを入力して処理しても良い。
【００４３】
また、本発明に係る音声復号化装置等は、上記各実施の形態に限定されず、種々変更して実施することが可能である。例えば、階層数が２以上のスケーラブル構成にも適用可能である。現在の標準化済み、標準化の検討途上、実用段階のスケーラブルコーデックの階層数は全てもっと多数である。例えばＩＴＵ−Ｔ標準Ｇ７２９ＥＶでは１２もの階層数がある。本発明は、階層が多いほど、多くの上位層において下位層の情報で簡単に高域感の向上した合成音声を得ることができるため、効果が大きくなる。
【００４４】
また、本実施の形態では高域周波数成分の帯域拡張技術を用いる場合について説明したが、本発明は、符号化していない帯域の成分を補充するようにフィルタ１５６を設計すれば、低域周波数成分の帯域拡張技術を用いる場合でも同様の性能を得ることができる。
【００４５】
また、下位層と上位層で符号化する帯域が異なるように役割付けられている場合には、本発明により符号化していない帯域の成分を補充することができるため、下位層に帯域拡張を用いない場合にも有効である。
【００４６】
また、本実施の形態ではフィルタの特性として通過型のフィルタを用いる場合について説明したが、本発明はこれに限られず、上位層で合成しきれなかった帯域の成分を強く出力し、他の帯域の成分をほとんど出力しない特性を持つフィルタであれば良い。
【００４７】
また、本実施の形態では階層型符号化／復号化（スケーラブルコーデック）を例に説明したが、本発明はこれに限られず、例えば、ある補助的なコーデックを用いる場合で、符号化する時にノイズシェイピング（雑音感を特定の帯域に集めて符号化する方法）を使用している場合、その雑音が集まっている帯域を削除するために用いることもできる。
【００４８】
また、本実施の形態ではフィルタの特性の変化について言及していないが、本発明は、上位層の復号器の特性に応じて、適応的にフィルタの特性を変化させることにより、より性能を向上させることができる。具体的方法としては、上位層の合成信号（加算部１５４の出力）と下位層の合成信号（帯域拡張部１５５の出力）との周波数毎のパワーを分析して、上位層の合成信号のパワーが下位層の合成信号のパワーに対して弱い周波数を通過するようにフィルタ１５６を設計するという方法が挙げられる。
【００４９】
また、本発明に係る符号化装置の入力信号は、音声信号だけでなく、オーディオ信号でも良い。また、入力信号として、ＬＰＣ予測残差信号に対して本発明を適用する構成であっても良い。
【００５０】
また、本発明に係る符号化装置および復号化装置は、移動体通信システムにおける通信端末装置および基地局装置に搭載することが可能であり、これにより上記と同様の作用効果を有する通信端末装置、基地局装置、および移動体通信システムを提供することができる。
【００５１】
また、ここでは、本発明をハードウェアで構成する場合を例にとって説明したが、本発明をソフトウェアで実現することも可能である。例えば、本発明に係る符号化方法／復号化方法のアルゴリズムをプログラミング言語によって記述し、このプログラムをメモリに記憶しておいて情報処理手段によって実行させることにより、本発明に係る符号化装置／復号化装置と同様の機能を実現することができる。
【００５２】
また、上記各実施の形態の説明に用いた各機能ブロックは、典型的には集積回路であるＬＳＩとして実現される。これらは個別に１チップ化されても良いし、一部または全てを含むように１チップ化されても良い。
【００５３】
また、ここではＬＳＩとしたが、集積度の違いによって、ＩＣ、システムＬＳＩ、スーパーＬＳＩ、ウルトラＬＳＩ等と呼称されることもある。
【００５４】
また、集積回路化の手法はＬＳＩに限るものではなく、専用回路または汎用プロセッサで実現しても良い。ＬＳＩ製造後に、プログラム化することが可能なＦＰＧＡ（Field Programmable Gate Array）や、ＬＳＩ内部の回路セルの接続もしくは設定を再構成可能なリコンフィギュラブル・プロセッサを利用しても良い。
【００５５】
さらに、半導体技術の進歩または派生する別技術により、ＬＳＩに置き換わる集積回路化の技術が登場すれば、当然、その技術を用いて機能ブロックの集積化を行っても良い。バイオ技術の適用等が可能性としてあり得る。
【００５６】
２００６年１１月２９日出願の特願２００６−３２２３３８の日本出願に含まれる明細書、図面および要約書の開示内容は、すべて本願に援用される。
【産業上の利用可能性】
【００５７】
本発明は、スケーラブル符号化技術を用いた通信システムにおける復号化装置等に用いるに好適である。
【図面の簡単な説明】
【００５８】
【図１】本発明の一実施の形態に係る音声復号化装置に符号化データを送信する音声符号化装置の構成を示すブロック図
【図２】本発明の一実施の形態に係る音声復号化装置の構成を示すブロック図
【図３】本発明の一実施の形態に係る音声復号化装置の処理の様子を具体的に説明する図
【手続補正３】
【補正対象書類名】図面
【補正対象項目名】全図
【補正方法】変更
【補正の内容】
【図１】
2008066071.tif 000006
【図２】
2008066071.tif 000007
【図３】
2008066071.tif 000008
【国際調査報告】
2008066071.tif 000009
2008066071.tif 000010